(57)【要約】【課題】原稿台ガラス１６上を搬送されてゆくシート状の原稿３１に対して、ＣＣＤ読取りユニット１１およびＣＩＳ２１が表裏それぞれの面に臨み、前記原稿台ガラス１６上の１回の通過で該原稿３１の表裏両面の画像を読取るようにした両面画像読取り装置において、該原稿３１の安定した搬送を維持しつつ、それぞれの読取り用の照明光の影響を除去する。【解決手段】前記原稿台ガラス１６に切れ目を入れて、搬送方向３２の相対的に上流側に配置されるＣＣＤ読取りユニット１１に対向した第１の案内支持部１６ａと、下流側に配置されるＣＩＳ２１に対向した第２の案内支持部１６ｂとに分断する。したがって、２つの案内支持部１６ａ，１６ｂは相互に等しい摩擦係数μとなり、原稿３１の安定した搬送を維持しつつ、それぞれの読取り用の照射光を分断面１６Ａ，１６Ｂで反射させ、他方の読取り手段への影響を少なくできる。【選択図】　図２
2004007239.tif 000002
【特許請求の範囲】
【請求項１】
シート状の原稿が透光性を有する板状の案内支持手段によって案内され、一方の面の画像を読取る読取り手段が前記案内支持手段に対して原稿とは反対側の面から臨んで前記案内支持手段を透過した原稿画像を読取り、他方の面の画像を読取る読取り手段が前記案内支持手段に対して原稿と同じ側の面から臨んで直接原稿画像を読取ることで、前記原稿の表裏両面の画像を読取るようにした両面画像読取り装置において、
前記案内支持手段は、搬送方向の相対的に上流側に配置される第１の読取り手段と、下流側に配置される第２の読取り手段との間で、分断または前記原稿とは反対側の面から溝が形成されていることを特徴とする両面画像読取り装置。
【請求項２】
原稿搬送路を搬送されてゆくシート状の原稿に対して、２つの読取り手段が表裏それぞれの面に臨み、前記原稿搬送路の１回の通過で前記原稿の表裏両面の画像を読取るようにした両面画像読取り装置において、
前記原稿の搬送方向の相対的に上流側に配置される第１の読取り手段に対向する第１の案内支持手段の案内面と、下流側に配置される第２の読取り手段に対向する第２の案内支持手段の案内面とが、相互に等しい搬送条件に形成されていることを特徴とする両面画像読取り装置。
【請求項３】
前記第１の案内支持手段と前記第２の案内支持手段との間には、遮光部材が設けられていることを特徴とする請求項２記載の両面画像読取り装置。
【請求項４】
前記第１および第２の案内支持手段の少なくとも一方には、他方の案内支持手段と隣接する端面に粗面処理が施されていることを特徴とする請求項２記載の両面画像読取り装置。
【請求項５】
相互に隣接する２つの読取り手段の少なくとも一方において、読取り用の照射光の放射方向が互いの離反方向であることを特徴とする請求項１または２記載の両面画像読取り装置。
【発明の詳細な説明】
【０００１】
【発明の属する技術分野】
本発明は、複写機やスキャナなどとして好適に実現され、シート状の原稿を原稿台ガラスなどの案内支持手段上を搬送しつつ、２つの読取り手段が表裏それぞれの面の画像を読取るようにした両面画像読取り装置に関する。
【０００２】
【従来の技術】
前記両面画像読取り装置は、前記シート状の原稿を前記案内支持手段上を１回通過させるだけで、該原稿の表裏両面の画像を読取ることができる。このため、前記両面画像読取り装置は、前記原稿搬送を行うＡＤＦ（自動原稿搬送装置）に原稿を裏返すための反転搬送路を設ける必要がなく、該ＡＤＦを簡略化することができ、また読取りに要する時間を短縮することができ、さらにまた原稿へのダメージが少ないなどの多くの利点を有している。
【０００３】
そこで、このような両面画像読取り装置の典型的な従来技術として、特開平４−２３４２５８号が挙げられる。しかしながら、この従来技術は、単純に２つの光学読取り手段を備えるもので、大型化したり、コストが嵩むという問題があり、他の従来技術として、特開平１１−２７４４４号が提案された。
【０００４】
図６は、その従来技術の読取り領域付近の構成を概略的に示す断面図である。この従来技術では、複写機に従来から使用されており、原稿台ガラス５１の下方に配置されるＣＣＤ（電荷結合素子）光学読取り手段５２を所定位置で固定して、前記ＡＤＦで原稿５３を搬送しつつ、該原稿５３の表面を読取る構成に加えて、ファクシミリ装置などで従来から使用されており、小型で省スペースなＣＩＳ（密着型イメージセンサ）５４を、さらに前記原稿台ガラス５１の上方に設けて、該原稿５３の裏面を読取ることで、両面画像の読取りを実現している。
【０００５】
しかしながら、原稿搬送路が長くなると、装置本体が大型化するので、前記ＣＣＤ光学読取り手段５２による第１の読取り位置と、前記ＣＩＳ５４による第２の読取り位置との間隔は、２０〜３０ｍｍ程度に近接して配置されている。このため、ＣＣＤ光学読取り手段５２およびＣＩＳ５４におけるそれぞれの読取り用の照射光が前記原稿台ガラス５１を伝播し、隣接する他方の読取り手段に影響を与えてしまう。すなわち、ＣＣＤ光学読取り手段５２側では、原稿５３の表面の画像が白飛びし、ＣＩＳ５４側では、原稿５３の裏面の画像が透かして見える裏映りを生じ、特に同レベルの漏光では、裏映りの影響が大きい。
【０００６】
このような問題を解決するために、従来では、光源からの光量の制御や、読取られた原稿の表裏両面の画像を一部補正するなどして、他方の読取り手段の照射光による影響が抑制されている。しかしながら、そのような対策にも限度があり、これらの対策を無理に行うと、読取られた画像の画質に悪影響を及ぼしてしまう虞がある。
【０００７】
そこで、そのような問題を解決することができるさらに他の従来技術として、特開平１１−３２１６４号公報に開示の両面画像読取り装置が挙げられる。図７は、その従来技術の読取り領域付近の構成を概略的に示す断面図である。図７において、上述の図６の構成に対応する部分には、同一の参照符号を付して示す。この従来技術も、前記図６の特開平１１−２７４４４号と同様に、ＣＣＤ光学読取り手段５２およびＣＩＳ５４の２つの読取り手段を隣接配置して、コンパクトな構成で、原稿５３の表裏両面を読取っている。
【０００８】
この従来技術で注目すべきは、先ずＣＩＳ５４で原稿５３の裏面を読取り、続いてＣＣＤ光学読取り手段５２で原稿５３の表面を読取るのであるけども、前記原稿台ガラス５１はＣＣＤ光学読取り手段５２にだけ対応して設けられており、ＣＩＳ５４の背後側には、金属などから成る背面板５５が設けられている。こうして、前記原稿台ガラス５１による照明光の伝播を防いで、上述のような光量の制御や、画像の補正などの特殊な対策によることなく、前記白飛びや裏映りを防止している。
【０００９】
【発明が解決しようとする課題】
しかしながら、そのような従来技術では、読取り手段に対向して原稿を案内する案内支持手段の材質が異なるので、摩擦係数μの違いによって、原稿の安定した搬送を保証できないという問題がある。特に、原稿は、装置の利用環境によって種々の種類のものの使用が予測され、それら総ての種類の原稿に対して安定した搬送を保証するとなると、トルクやタイミング等の搬送系の設定が困難である。
【００１０】
本発明の目的は、安定した原稿の搬送を維持しつつ、それぞれの読取り用の照明光の影響を除去することができる両面画像読取り装置を提供することである。
【００１１】
【課題を解決するための手段】
本発明の両面画像読取り装置は、シート状の原稿が透光性を有する板状の案内支持手段によって案内され、一方の面の画像を読取る読取り手段が前記案内支持手段に対して原稿とは反対側の面から臨んで前記案内支持手段を透過した原稿画像を読取り、他方の面の画像を読取る読取り手段が前記案内支持手段に対して原稿と同じ側の面から臨んで直接原稿画像を読取ることで、前記原稿の表裏両面の画像を読取るようにした両面画像読取り装置において、前記案内支持手段は、搬送方向の相対的に上流側に配置される第１の読取り手段と、下流側に配置される第２の読取り手段との間で、分断または前記原稿とは反対側の面から溝が形成されていることを特徴とする。
【００１２】
上記の構成によれば、原稿搬送路に２つの読取り手段を略対向配置し、それらの間を原稿を通過させることで、１回の読取り走査で、原稿の表裏両面の画像を読取るようにした画像読取り装置において、原稿台ガラスなどの１枚の板状の案内支持手段に対して、第１の読取り手段と第２の読取り手段との間で、主走査方向、すなわち原稿の搬送方向とは垂直な方向に切れ目を入れて分断する。または、前記原稿とは反対側の面に溝を形成する。すなわち、少なくとも前記原稿とは反対側の面で分断する。
【００１３】
したがって、２つの読取り手段には相互に等しい搬送条件（主に摩擦係数μ）となる案内支持手段、具体的には、同一の材質で、同一の表面の粗さ等の案内面の状態が同一の案内支持手段が臨み、安定した原稿の搬送を維持しつつ、それぞれの読取り用の照射光を分断面で反射させ、他方の読取り手段に影響を及ぼさないようにすることができる。
【００１４】
また、本発明の両面画像読取り装置は、原稿搬送路を搬送されてゆくシート状の原稿に対して、２つの読取り手段が表裏それぞれの面に臨み、前記原稿搬送路の１回の通過で前記原稿の表裏両面の画像を読取るようにした両面画像読取り装置において、前記原稿の搬送方向の相対的に上流側に配置される第１の読取り手段に対向する第１の案内支持手段の案内面と、下流側に配置される第２の読取り手段に対向する第２の案内支持手段の案内面とが、相互に等しい搬送条件に形成されていることを特徴とする。
【００１５】
上記の構成によれば、原稿搬送路に２つの読取り手段を略対向配置し、それらの間を原稿を通過させることで、１回の読取り走査で、原稿の表裏両面の画像を読取るようにした画像読取り装置において、原稿台ガラスなどの前記読取り手段に対向する案内支持手段を、第１の読取り手段に対応した第１の案内支持手段と、第２の読取り手段に対応した第２の案内支持との２つ設け、それらの間で、案内面の搬送条件（主に摩擦係数μ）が相互に等しくなるように形成する。具体的には、たとえば同一の材質で、同一の表面の粗さ等の該案内面の状態を同一にする。
【００１６】
したがって、安定した原稿の搬送を維持しつつ、それぞれの読取り用の照射光をそれぞれの案内支持手段の端面で反射させ、他方の読取り手段に影響を及ぼさないようにすることができる。
【００１７】
さらにまた、本発明の両面画像読取り装置は、前記第１の案内支持手段と前記第２の案内支持手段との間には、遮光部材が設けられていることを特徴とする。
【００１８】
上記の構成によれば、２つの案内支持手段の間に遮光部材を設け、その遮光部材によって、他の読取り手段の読取り用の照射光を確実に遮断するので、特に案内支持手段に対して原稿と同じ側の面から臨んで直接原稿画像を読取る読取り手段での裏映りの防止に効果的であり、前記他方の読取り手段の照射光による影響を一層小さくすることができる。
【００１９】
また、本発明の両面画像読取り装置では、前記第１および第２の案内支持手段の少なくとも一方には、他方の案内支持手段と隣接する端面に粗面処理が施されていることを特徴とする。
【００２０】
上記の構成によれば、２つの案内支持手段の少なくとも一方の隣接する端面に粗面処理を施すので、他方の読取り手段の読取り用の照射光は、その粗面処理された端面で反射あるいは散乱される。
【００２１】
したがって、特に案内支持手段に対して原稿と同じ側の面から臨んで直接原稿画像を読取る読取り手段での裏映りの防止に効果的であり、前記他方の読取り手段の照射光による影響を一層小さくすることができる。また、遮光部材を用いずに同様の効果を得ることができ、組立て作業や、製造コストの面から有効である。
【００２２】
さらにまた、本発明の両面画像読取り装置は、相互に隣接する２つの読取り手段の少なくとも一方において、読取り用の照射光の放射方向が互いの離反方向であることを特徴とする。
【００２３】
上記の構成によれば、前記２つの読取り手段の少なくとも一方において、読取り用の照射光を放射する光源の向きが、他方の読取り手段とは反対方向となるようにする。
【００２４】
したがって、相互に隣接する他方の読取り手段の光源からの照明光の影響を小さくすることができる。
【００２５】
【発明の実施の形態】
本発明の実施の第１の形態について、図１および図２に基づいて説明すれば、以下のとおりである。
【００２６】
図１は、本発明の実施の第１の形態の両面画像読取り装置１の全体構成を示す縦断面図である。この両面画像読取り装置１は、大略的に、光学系２と、その上方に配置されるＡＤＦ３とを備えて構成されており、前記複写機やファクシミリ装置のスキャナ装置として用いられる。
【００２７】
前記光学系２は、第１の読取り手段であるＣＣＤ読取りユニット１１を備えて構成され、原稿台ガラス１２上に載置され、平面支持された原稿の画像を、光源ユニット１３およびミラーユニット１４によって、固定位置に設けられた前記ＣＣＤ読取りユニット１１に結像し、読取りを行う。前記ＣＣＤ読取りユニット１１は、結像レンズ１１ａおよびＣＣＤイメージセンサ１１ｂなどを備えて構成される。前記光源ユニット１３は、光源１３ａと、その光源１３ａからの読取り用の照明光を前記原稿台ガラス１２上の所定の読取り位置に集光するミラー１３ｂと、原稿からの反射光のみを通過させるスリット１３ｃと、前記スリット１３ｃを通過した光の光路を９０°変更するミラー１３ｄとを備えて構成される。前記ミラーユニット１４は、前記光源ユニット１３からの光の光路を１８０°変更する一対のミラー１４ａ，１４ｂとを備えて構成される。前記光源ユニット１３の速度をＶとすると、ミラーユニット１４はＶ／２の速度で、参照符１３ｅ，１３ｆ；１４ｃ等で示するように矢符１５方向（副走査方向）に変位してゆくことによって、原稿画像を読取ることができる。
【００２８】
また、この光学系２には、前記原稿台ガラス１２から前記副走査方向に離間して、後述するように本発明が特徴とするもう１枚の原稿台ガラス１６が設けられている。前記光源ユニット１３は、この原稿台ガラス１６の下方まで変位して静止した状態で、該原稿台ガラス１６上を搬送されてゆく原稿の一方の面（以下、こちらを表面とする）の画像を読取ることができる。その搬送された原稿の出口付近には、排紙トレイ１７が設けられている。
【００２９】
一方、ＡＤＦ３は、第２の読取り手段であるＣＩＳ２１を備えて構成され、原稿載置トレイ２２上に積層状態で載置された原稿を１枚ずつ取り込んでゆき、該ＣＩＳ２１で、その原稿の他方の面（以下、こちらを裏面とする）の画像を読取る。このため、大略的に、各種のローラＲ１〜Ｒ１０、センサＳ１〜Ｓ６、湾曲搬送経路２３およびレジスト・斜行補正領域２４をさらに備えて構成されている。
【００３０】
前記原稿載置トレイ２２は、電動トレイであり、アクチュエータＳ１ａおよびセンサ本体Ｓ１ｂから成る原稿載置センサＳ１によって前記原稿載置トレイ２２に原稿がセットされたことを検知すると、所定のタイミングで該原稿載置トレイ２２の上昇が開始され、積載された原稿束の最上面原稿が、アーム２５によって昇降変位自在に支持されているピックアップローラＲ１を押し上げ、そのことがセンサＳ２によって検知されると、前記上昇が一旦停止し、この状態で待機状態となる。
【００３１】
なお、前記原稿載置トレイ２２に原稿がセットされて上述のように該原稿載置トレイ２２が上昇して待機状態となった後、所定時間放置された場合は、所定のレベルまで該原稿載置トレイ２２は降下して待機する。
【００３２】
そして、原稿の給紙開始信号が入力されると、前記給紙ローラＲ１が回転駆動され、前記原稿束の最上面原稿から順次取込まれる。前記給紙ローラＲ１の下流側には、原稿捌きローラＲ２および原稿捌き板２６が配置されており、前記原稿捌き板２６はばね２７によって前記原稿捌きローラＲ２側に付勢されている。したがって、前記給紙ローラＲ１によって複数枚の原稿が取込まれても、原稿捌きローラＲ２に密着している最上面原稿のみが取込まれ、湾曲搬送経路２３へと搬送される。原稿が前記原稿捌きローラＲ２で確実に分離供給されたか否かは、アクチュエータＳ３ａおよびセンサ本体Ｓ３ｂから成るセンサＳ３によって検知される。そして、所定のタイミングで、下流側の前記湾曲搬送経路２３へと導かれる。
【００３３】
前記湾曲搬送経路２３では、原稿は搬送ローラＲ３〜Ｒ７によって搬送され、無理なく導かれてきているか否かは、アクチュエータＳ４ａおよびセンサ本体Ｓ４ｂから成り、該湾曲搬送経路２３からの排出を検知するセンサＳ４によって検知される。前記湾曲搬送経路２３は、あらゆる種類の原稿の安定供給をメーカーが保証できる曲率となっており、読取り可能な原稿の内、最も厚い、すなわち最も腰のある原稿を円滑に搬送できる曲率となっている。
【００３４】
前記湾曲搬送経路２３から排出された原稿はレジスト・斜行補正領域２４に搬送され、その先端が該レジスト・斜行補正領域２４の出口付近にあるレジストローラＲ８，Ｒ９の手前に配置されたセンサＳ５によって検知されると、前記レジストローラＲ８，Ｒ９を停止させた状態で所定時間上流側からの搬送力でもって衝突させ、レジストおよび斜行の補正が行われる。前記センサＳ５は、アクチュエータＳ５ａおよびセンサ本体Ｓ５ｂから成る。
【００３５】
前記レジスト・斜行補正領域２４は、前記湾曲搬送経路２３の最終の搬送ローラＲ６，Ｒ７の対から前記レジストローラＲ８，Ｒ９の対までの該レジスト・斜行補正領域２４において、上述のようなレジストおよび斜行の補正を行えるよう、これらのローラＲ６，Ｒ７；Ｒ８，Ｒ９間で原稿の状態がほぼ直線となり、搬送経路のガイド面から極力フリーとなるように考慮されている。これは、特に厚手の原稿などの腰のある原稿を搬送処理する場合に効果的であり、原稿が湾曲した状態、すなわち湾曲した原稿の側面が搬送ガイドの一部に圧接している状態でのレジストおよび斜行を補正することは困難であるから、前述のように極力搬送経路のガイド面からフリーとして摩擦を抑えようとしたものである。
【００３６】
なお、前記ローラＲ６，Ｒ７；Ｒ８，Ｒ９間の距離は、原稿送り装置として処理することが可能な原稿の中で、最も小さな原稿の搬送方向の長さが最低限設定されていればよい。すなわち、湾曲搬送経路２３に残っている原稿の後端部分が少ない程、原稿のレジストおよび斜行の補正がスムーズに行えることとなる。
【００３７】
次に、ここでレジストおよび斜行の補正が行われた原稿は、所定のタイミングで搬送が再開され、原稿の表面を露光走査するための第１の読取り位置へと導かれる。さらに、引続き原稿の裏面を露光走査するための第２の読取り位置を通過する。前記第１の読取り位置へは前記光源ユニット１３が臨み、前記第２の読取り位置へは前記ＣＩＳ２１が臨んでいる。
【００３８】
そして、原稿の表裏両面の画像を読取られた原稿は、排出ローラＲ１０，Ｒ１１（排出ローラＲ１１は光学系２側に設けられている）によって原稿排出点よりも低い位置にある該原稿読取り装置１の側面に支持された前記排紙トレイ１７上へと排出される。この原稿の排出動作の確認は、アクチュエータＳ６ａおよびセンサ本体Ｓ６ｂから成るセンサＳ６によって検知される。
【００３９】
以上の動作が、原稿載置トレイ２２上にセットされた原稿がなくなるまで繰返され、読取りが完了した原稿はすべて排紙トレイ１７上に順次排出される。ここで、排紙トレイ１７上に排出された原稿は、該排紙トレイ１７上において前記原稿載置トレイ２２に覆われることもなく、操作者は簡単に目視による確認が行えるとともに、該排紙トレイ１７上から処理後の原稿を取出す操作も簡単に行える。
【００４０】
また、前記原稿載置トレイ２２は、原稿が順次給紙される毎に原稿束の高さが下がってくるので、前記給紙ローラＲ１の位置が下がった分だけ上昇して、常に原稿束の最上面と該給紙ローラＲ１とが所定の状態を保てるように監視されている。この原稿載置トレイ２２の動きは、センサＳ２の出力をレベル信号として処理することで制御されている。
【００４１】
さらに、前記原稿載置トレイ２２は、上述したように安定した原稿の搬送を保証できるように設定された湾曲搬送経路２３によって必然的に形成される該湾曲搬送経路２３の入口側と出口側との高さの範囲内で上下できるようになっており、この上下方向に変位することによって、大量の原稿の載置が可能になるとともに、該原稿載置トレイ２２上に載置された大量の原稿の最上面を前記湾曲搬送経路２３の入口へと給紙可能な状態まで上昇させ、順次給紙するようになっている。
【００４２】
図２は、上述のように構成される両面画像読取り装置１における両面原稿の読取り領域付近、すなわち前記原稿台ガラス１６付近の構成を概略的に示す断面図である。この図２において、図１に対応する部分には、同一の参照符号を付して示す。前記ＡＤＦ３によって前記原稿台ガラス１６上を原稿３１が搬送方向３２に搬送され、先ず前記原稿台ガラス１６の下方に配置されたＣＣＤ読取りユニット１１によって、該原稿台ガラス１６を透過した表面の画像が読取られ、続いて該原稿台ガラス１６の上方に配置されたＣＩＳ２１によって、前記原稿３１の裏面の画像が直接読取られることで、両面画像の読取りを実現する点は前記図６の構成と同様である。
【００４３】
注目すべきは、本発明では、前記原稿台ガラス１６が、１枚の板状のガラスを、主走査方向、すなわち前記搬送方向３２とは垂直な方向に切れ目を入れて分断することで、ＣＣＤ読取りユニット１１に対向した第１の案内支持部１６ａと、前記ＣＩＳ２１に対向した第２の案内支持部１６ｂとに分断されて構成されていることである。
【００４４】
したがって、２つの読取り手段には相互に等しい搬送条件（主に摩擦係数μ）となる案内支持部１６ａ，１６ｂ、具体的には、同一の材質で、同一の表面の粗さ等の案内面の状態が同一の案内支持部が臨み、原稿３１の安定した搬送を維持しつつ、それぞれの読取り用の照射光を分断面１６Ａ，１６Ｂで反射させ、他方の読取り手段に影響を及ぼさないようにすることができる。これによって、ＣＣＤ読取りユニット１１側での白飛びや、ＣＩＳ２１側での裏映りを防止することができ、特に裏映りの防止には効果的である。なお、前記原稿台ガラス１６の分断面１６Ａ，１６Ｂには、原稿３１が引掛からないようにするために、Ｒを付けたり、面取りを施すことが望ましい。
【００４５】
また、ＣＩＳ２１は、前記搬送方向３２の上流側に読取り用の照明光を放射する光源２１ａが設けられ、下流側に読取りを行うＣＣＤラインイメージセンサ２１ｂが設けられた構造となっている。したがって、光源２１ａからの照射光の放射方向は、ＣＣＤ読取りユニット１１から離反してゆく方向になり、前記ＣＣＤ読取りユニット１１に対する該光源２１ａからの照明光の影響を小さくすることができる。
【００４６】
本発明の実施の第２の形態について、図３に基づいて説明すれば、以下のとおりである。
【００４７】
図３は、本発明の実施の第２の形態の両面画像読取り装置における両面原稿の読取り領域付近の構成を概略的に示す断面図である。この図３において、図２に対応する部分には、同一の参照符号を付して示す。なお、本両面画像読取り装置の全体構成は、たとえば前述の図１と同様の構成で実現することができ、その説明は省略する。
【００４８】
注目すべきは、この両面画像読取り装置では、前記原稿台ガラス１６の案内支持部１６ａ，１６ｂ間に、遮光部材３３が設けられていることである。したがって、前記分断面１６Ａ，１６Ｂを通過する照射光を確実に遮断するので、前記他方の読取り手段への影響を一層小さくすることができ、特に前記裏映りの防止には効果的である。
【００４９】
本発明の実施の第３の形態について、図４に基づいて説明すれば、以下のとおりである。
【００５０】
図４は、本発明の実施の第３の形態の両面画像読取り装置における両面原稿の読取り領域付近の構成を概略的に示す断面図である。この図４においても、図２および図３に対応する部分には、同一の参照符号を付して示す。なお、本両面画像読取り装置も、その全体構成は前述の図１と同様の構成で実現することができ、その説明は省略する。
【００５１】
注目すべきは、この両面画像読取り装置では、原稿台ガラス３６の少なくとも一方の案内支持部（図４では参照符３６ａで示す）において、隣接する分断面３６Ａに、梨地処理などの粗面処理が施されていることである。したがって、前記他方の読取り手段からの読取り用の照射光は、その粗面処理された端面で反射あるいは散乱される。このようにしてもまた、分断面３６Ａ，１６Ｂを通過する照射光を抑制することができる。また、上述の遮光部材３３を用いることなく、同様の効果を得ることができ、組立て作業や、製造コストの面から有効である。
【００５２】
本発明の実施の第４の形態について、図５に基づいて説明すれば、以下のとおりである。
【００５３】
図５は、本発明の実施の第４の形態の両面画像読取り装置における両面原稿の読取り領域付近の構成を概略的に示す断面図である。この図５においても、図２〜図４に対応する部分には、同一の参照符号を付して示す。
【００５４】
注目すべきは、この両面画像読取り装置では、原稿台ガラス４６が、１枚の板状のガラスに、原稿３１とは反対側の面から、主走査方向、すなわち前記搬送方向３２とは垂直な方向に、切れ目を入れて溝４７が形成されて成ることである。これによって、該原稿台ガラス４６は、前記原稿３１とは反対側の面、すなわちＣＣＤ読取りユニット１１側の面で、該ＣＣＤ読取りユニット１１に対向した第１の案内支持部４６ａと、前記ＣＩＳ２１に対向した第２の案内支持部４６ｂとに分断されて構成されている。
【００５５】
したがって、前記図２〜図４で示す各両面画像読取り装置と同様の効果を得ることができるとともに、原稿３１の案内は連続しており、原稿３１のさらに安定した搬送を実現することができる。
【００５６】
また、前記溝４７にインクなどを流込んで固化させることで、前記遮光部材３３と同様の効果を得ることもできる。
【００５７】
【発明の効果】
本発明の両面画像読取り装置は、以上のように、原稿搬送路に２つの読取り手段を略対向配置し、それらの間を原稿を通過させることで、１回の読取り走査で、原稿の表裏両面の画像を読取るようにした画像読取り装置において、原稿台ガラスなどの１枚の板状の案内支持手段に対して、第１の読取り手段と第２の読取り手段との間で、主走査方向、すなわち原稿の搬送方向とは垂直な方向に切れ目を入れて分断する。または、前記原稿とは反対側の面に溝を形成する。すなわち、少なくとも前記原稿とは反対側の面で分断する。
【００５８】
それゆえ、２つの読取り手段には相互に等しい搬送条件（主に摩擦係数μ）となる案内支持手段、具体的には、同一の材質で、同一の表面の粗さ等の案内面の状態が同一の案内支持手段が臨み、安定した原稿の搬送を維持しつつ、それぞれの読取り用の照射光を分断面で反射させ、他方の読取り手段に影響を及ぼさないようにすることができる。
【００５９】
また、本発明の両面画像読取り装置は、以上のように、原稿搬送路に２つの読取り手段を略対向配置し、それらの間を原稿を通過させることで、１回の読取り走査で、原稿の表裏両面の画像を読取るようにした画像読取り装置において、原稿台ガラスなどの前記読取り手段に対向する案内支持手段を、第１の読取り手段に対応した第１の案内支持手段と、第２の読取り手段に対応した第２の案内支持との２つ設け、それらの間で、案内面の搬送条件（主に摩擦係数μ）が相互に等しくなるように形成する。具体的には、たとえば同一の材質で、同一の表面の粗さ等の該案内面の状態を同一にする。
【００６０】
それゆえ、安定した原稿の搬送を維持しつつ、それぞれの読取り用の照射光をそれぞれの案内支持手段の端面で反射させ、他方の読取り手段に影響を及ぼさないようにすることができる。
【００６１】
さらにまた、本発明の両面画像読取り装置は、以上のように、前記第１の案内支持手段と前記第２の案内支持手段との間に、遮光部材を設け、その遮光部材によって、他の読取り手段の読取り用の照射光を確実に遮断する。
【００６２】
それゆえ、特に案内支持手段に対して原稿と同じ側の面から臨んで直接原稿画像を読取る読取り手段での裏映りの防止に効果的であり、前記他方の読取り手段の照射光による影響を一層小さくすることができる。
【００６３】
また、本発明の両面画像読取り装置は、以上のように、２つの案内支持手段の少なくとも一方の隣接する端面に粗面処理を施す。
【００６４】
それゆえ、他方の読取り手段の読取り用の照射光は、その粗面処理された端面で反射あるいは散乱され、特に案内支持手段に対して原稿と同じ側の面から臨んで直接原稿画像を読取る読取り手段での裏映りの防止に効果的であり、前記他方の読取り手段の照射光による影響を一層小さくすることができる。また、遮光部材を用いずに同様の効果を得ることができ、組立て作業や、製造コストの面から有効である。
【００６５】
さらにまた、本発明の両面画像読取り装置は、以上のように、前記２つの読取り手段の少なくとも一方において、読取り用の照射光を放射する光源の向きが、他方の読取り手段とは反対方向となるようにする。
【００６６】
それゆえ、相互に隣接する他方の読取り手段の光源からの照明光の影響を小さくすることができる。
【図面の簡単な説明】
【図１】本発明の実施の第１の形態の両面画像読取り装置の全体構成を示す縦断面図である。
【図２】図１で示す両面原稿読取り装置における両面原稿の読取り領域付近の構成を概略的に示す断面図である。
【図３】本発明の実施の第２の形態の両面画像読取り装置における両面原稿の読取り領域付近の構成を概略的に示す断面図である。
【図４】本発明の実施の第３の形態の両面画像読取り装置における両面原稿の読取り領域付近の構成を概略的に示す断面図である。
【図５】本発明の実施の第４の形態の両面画像読取り装置における両面原稿の読取り領域付近の構成を概略的に示す断面図である。
【図６】典型的な従来技術の読取り領域付近の構成を概略的に示す断面図である。
【図７】他の従来技術の読取り領域付近の構成を概略的に示す断面図である。
【符号の説明】
１　　両面画像読取り装置
２　　光学系
３　　ＡＤＦ
１１　　ＣＣＤ読取りユニット（第１の読取り手段）
１１ａ　結像レンズ
１１ｂ　ＣＣＤイメージセンサ
１２　　原稿台ガラス
１３　　光源ユニット
１３ａ　光源
１４　　ミラーユニット
１６，３６，４６　　原稿台ガラス（案内支持手段）
１６ａ，３６ａ，４６ａ　　第１の案内支持部
１６ｂ，４６ｂ　　第２の案内支持部
１６Ａ，３６Ａ；１６Ｂ　　分断面
１７　　排紙トレイ
２１　　ＣＩＳ（第２の読取り手段）
２１ａ　　光源
２１ｂ　　ＣＣＤラインイメージセンサ
２２　　原稿載置トレイ
２３　　湾曲搬送経路
２４　　レジスト・斜行補正領域
２６　　原稿捌き板
３１　　原稿
３２　　搬送方向
３３　　遮光部材
４７　　溝
Ｒ１　　ピックアップローラ
Ｒ２　　原稿捌きローラ
Ｒ３〜Ｒ７　　搬送ローラ
Ｒ８，Ｒ９　　レジストローラ
Ｒ１０，Ｒ１１　　排出ローラ
Ｓ１　　原稿載置センサ
Ｓ２〜Ｓ６　　センサ
【図１】
2004007239.tif 000003
【図２】
2004007239.tif 000004
【図３】
2004007239.tif 000005
【図４】
2004007239.tif 000006
【図５】
2004007239.tif 000007
【図６】
2004007239.tif 000008
【図７】
2004007239.tif 000009